(57)【要約】【目的】  ユーザーがお気に入り場所を特定して編集し、そのお気に入り場所に関連する興味ある地点（ＰＯＩ）情報またはその他の情報を検索することを可能に「ナビゲーションシステムの情報検索方法及び装置」する。【解決手段】ナビゲーションシステムで表示した地図イメージ上の場所を選択し、該場所のサイズをセットすることによってお気に入り場所を生成し、該ナビゲーションシステムで生成されたお気に入り場所のうちの１つを選択し、該選択したお気に入り場所に関連する情報（興味ある地点（ＰＯＩ）情報、イベント情報、交通情報など）を検索する。【選択図】  図３
2005331511.tif 000002
【特許請求の範囲】
【請求項１】
ナビゲーションシステムに用いられるお気に入りスポットを特定して該お気に入りスポットに関する情報を検索する方法において、
該ナビゲーションシステムで表示された地図イメージ上の場所を選択し、かつ、該場所のサイズを設定することによってお気に入りスポットを生成するステップと、
ナビゲーションシステムで生成されたお気に入りスポットのうちの１つを選択するステップと、
該選択したお気に入りスポットに関連する情報を検索するステップと、
を備えたことを特徴とするナビゲーションシステムの情報検索方法。
【請求項２】
お気に入りスポットを生成する前記ステップは、
該お気に入りスポットの形状を設定するステップと、
そのお気に入りスポットの名前を指定するステップと、
を備えたことを特徴とする請求項１に記載のナビゲーションシステムの情報検索方法。
【請求項３】
前記お気に入りスポットを生成するステップは、お気に入りスポットをお気に入りスポット名のリストに登録するステップを備えたことを特徴とする請求項１記載のナビゲーションシステムの情報検索方法。
【請求項４】
前記ナビゲーションシステムにおいて生成されたお気に入りスポットのうちの１つを選択するステップは、お気に入りスポット名のリストを表示する表示するステップを備えたことを特徴とする請求項１記載のナビゲーションシステムの情報検索方法。
【請求項５】
前記選択したお気に入りスポットに関連する情報を検索するステップは、
前記お気に入りスポットについて探索する情報のカテゴリーを指定するステップと、
お気に入りスポットの中の前記指定したカテゴリーの情報を検索するステップと、
該検索した情報のリストを表示するステップと、
を備えたことを特徴とする請求項１記載のナビゲーションシステムの情報検索方法。
【請求項６】
前記お気に入りスポットの中の前記カテゴリーの情報は、興味ある地点情報であることを特徴とする請求項５記載のナビゲーションシステムの情報検索方法。
【請求項７】
前記お気に入りスポットの中の前記カテゴリーの情報は、イベント情報であることを特徴とする請求項５記載のナビゲーションシステムの情報検索方法。
【請求項８】
前記お気に入りスポットの中の前記カテゴリーの情報は、交通情報であることを特徴とする請求項５記載のナビゲーションシステムの情報検索方法。
【請求項９】
お気に入りスポットのサイズ、位置、又は名前を変更することにより、又はお気に入りスポットを削除することによってお気に入りスポットに関するデータを編集するステップを更に備えた、
ことを特徴とする請求項１記載のナビゲーションシステムの情報検索方法。
【請求項１０】
前記お気に入りスポットに関するデータを編集するステップは、
編集されるお気に入りスポットを選択するステップと、
該編集されるお気に入りスポットの項目を選択するステップと、
該選択した項目の値を変更するステップと、
を備えたことを特徴とする請求項９記載のナビゲーションシステムの情報検索方法。
【請求項１１】
前記お気に入りスポットに到達したか監視し、該お気に入りスポットに到達したとき、その旨を報知するステップ、
を備えたことを特徴とする請求項１記載のナビゲーションシステムの情報検索方法。
【請求項１２】
ナビゲーションシステムに用いられるお気に入りスポットを特定して該お気に入りスポットに関する情報を検索するための情報検索装置において、
該ナビゲーションシステムで表示された地図イメージ上の場所を選択し、かつ、該場所のサイズを設定することによってお気に入りスポットを生成する手段と、
該ナビゲーションシステムで生成されたお気に入りスポットのうちの１つを選択する手段と、
該選択したお気に入りスポットに関連する情報を検索する手段と、
を備えたことを特徴とするナビゲーションシステムの情報検索装置。
【請求項１３】
前記お気に入りスポットを生成する手段は、
お気に入りスポットの形状を設定する手段と、
該お気に入りスポットの名前を指定する手段と、
を備えたことを特徴とする請求項１２記載のナビゲーションシステムの情報検索装置。
【請求項１４】
前記お気に入りスポットを生成するための手段は、お気に入りスポットをお気に入りスポット名のリストに登録する手段を備えたことを特徴とする請求項１２記載のナビゲーションシステムの情報検索装置。
【請求項１５】
該ナビゲーションシステムで生成されたお気に入りスポットのうちの１つを選択するための前記手段は、お気に入りスポット名のリストを表示する手段を備えたことを特徴とする請求項１２記載のナビゲーションシステムの情報検索装置。
【請求項１６】
前記選択したお気に入りスポットに関連する情報を検索するための手段は、
前記お気に入りスポットについて探索されるべき情報のカテゴリーを指定する手段と、
お気に入りスポットの中の選択されたカテゴリーの情報を検索する手段と、
検索された情報のリストを表示する手段と、
を備えたことを特徴とする請求項１２記載のナビゲーションシステムの情報検索装置。
【請求項１７】
前記お気に入りスポットの中の前記カテゴリーの情報は、興味ある地点情報であることを特徴とする請求項１６記載のナビゲーションシステムの情報検索装置。
【請求項１８】
前記お気に入りスポットの中の前記カテゴリーの情報は、イベント情報であることを特徴とする請求項１６記載のナビゲーションシステムの情報検索装置。
【請求項１９】
前記お気に入りスポットの中の前記カテゴリーの情報は、交通情報であることを特徴とする請求項１６記載のナビゲーションシステムの情報検索装置。
【請求項２０】
お気に入りスポットのサイズ、位置、又は名前を変更することにより又はお気に入りスポットを削除することによってお気に入りスポットに関するデータを編集する手段、
を更に備えたことを特徴とする請求項１２に記載のナビゲーションシステムの情報検索装置。
【請求項２１】
お気に入りスポットに関するデータを編集するための前記手段は、
編集されるべきお気に入りスポットを選択する手段と、
編集されるべきお気に入りスポットの項目を選択する手段と、
該選択した項目の値を変更する手段と、
を備えたことを特徴とする請求項２０に記載のナビゲーションシステムの情報検索装置。
【請求項２２】
前記お気に入りスポットに到達したか監視する手段、
該お気に入りスポットに到達したことを報知する手段、
を備えたことを特徴とする請求項１２に記載のナビゲーションシステムの情報検索装置。
【発明の詳細な説明】
【技術分野】
【０００１】
本発明は、ナビゲーションシステムの情報検索方法及び装置に係わり、特にお気に入りスポット(お気に入りスポット)を特定および編集し、そのお気に入りスポットに関連する興味ある場所(Point of Interest：POI）情報又はその他の情報を検索する情報検索方法及び装置に関する。
【背景技術】
【０００２】
通常は乗り物ナビゲーションシステムであるナビゲーションシステムは、ユーザーが選択した目的地へ容易に行けるように移動案内を行う。この様なナビゲーションシステムは、ナビゲーションシステムを有するユーザー又は乗り物の位置を検出し、例えばCD-ROM(コンパクトディスク読み出し専用メモリ)又はDVD(ディジタル多用途ディスク)又はハードディスクなどの地図データ記憶媒体から1つの地域に関する地図データを読み出す。現在のユーザー(乗り物)の位置は、自律型ナビゲーション・センサー(移動距離センサー、相対位置センサーなど）及び全地球測位システム（Global Positioning System：GPS)衛星の組み合わせにより測定される。
【０００３】
図１は、ナビゲーションシステムに係わる手続き全体とスクリーン・ディスプレイとの例を示す。図１Ａは、目的地が指定されていないときのナビゲーションシステムのロケーター地図スクリーンの例を示す。通常、ナビゲーションシステムは、地図上でその乗り物が走っている街路(現在の乗り物位置VP）と、その街路の名前とを表示する。北指針NP、地図スケール及び現在の時刻などの他の情報もディスプレイ・スクリーン上に示されても良い。ナビゲーションシステムは、目的地が指定されるまでは経路案内機能を実行しない。
【０００４】
図１Ｂ−１Ｄは、ナビゲーションシステムにおいて目的地を指定するプロセスの例を示す。図１Ｂに示されているようなメイン・メニュー・スクリーンは、目的地を入力するための"Destination(目的地）"メニューを含むメニュー項目を表示する。"Destination(目的地)"を選択すると、ナビゲーションシステムは、目的地を選択する入力方法を指定するための図１Ｃに示されている"Find Destination by(目的地を見つける方法）"スクリーンを表示する。" Find Destination by (目的地を見つける方法)"スクリーンは、(1)目的地の都市及びアドレスを指定するための"Address（アドレス）"と、(2)互いに交差する２つの街路の名前を指定するための"Intersection（交差点）"と、(3)名前、カテゴリー又は電話番号に基づいてプログラムされた目的地を選択するための"Point of Interest（興味ある場所)"（POI）と、を含む目的地を選択するための種々の方法を列挙する。" Find Destination by(目的地を見つける方法)"スクリーン内の他の目的地設定方法は、(4)直接地図上で目的地をカーソルで指示する"Map Cursor"と、(5)ナビゲーションシステムに保存されている目的地の最近の履歴に基づいて目的地を指定するための"Recent Route（最近の経路)"と、(6)該システムに記憶されている所定のアドレス・リストから目的地のアドレスを選択するための"Address Book（アドレス・ブック)"である。
【０００５】
図１Ｃにおいて例えば" Point of Interest（興味ある地点)"を選択すると、ナビゲーションシステムは、図１Ｄに示すように"Place Name（場所名)"又は"Place Type（場所タイプ)"のいずれにより興味ある地点（POI）を入力するかの選択方法を表示する。"Place Name（場所名）"はPOIの名前を指定し、"Place Type（場所タイプ)"はPOIのカテゴリーを指定する。図１Ｄで" Place Name（場所名)"が選択されると、ナビゲーションシステムは図１Ｅに示されているような"Enter Place Name（場所名を入力する)"スクリーンを示す。図１Ｅのスクリーンは、基本的には、モニター・スクリーン上の入力ボックスBXに名前を入力するためのキーボードである。ユーザーは、そのキーボードKBを通して所望のPOIの名前(DEL AMO)を入力ボックスに入力する。
【０００６】
図１Ｆは、目的地を確認するためのナビゲーションシステムの"Confirm Route（経路確認)"スクリーンを示す。この例において、" Confirm Route（経路確認)"スクリーンは、目的地(すなわち、ユーザーにより指定されたPOI）の名前、アドレス及び電話番号を表示する。これが正しい目的地であれば、ユーザーは次の手続きに進むために"OK to Proceed（進んでよい)"キーを入力する。
【０００７】
図１Ｇでは、ナビゲーションシステムは、目的地すなわち選択されたPOIへの案内経路を計算して決定する。ナビゲーションシステムは、例えば、目的地に到達する最短の道筋、あるいは実用上なるべく多くの無料高速道路を用いる経路、あるいは有料道路を使わない経路などに基づいて目的地への経路を決定する。この例では、ナビゲーションシステムは、経路計算の進行スケール（progress scale）PSCLを表示する。案内経路を決定した後、ナビゲーションシステムは図１Ｈに示すように経路案内を開始する。通常、ナビゲーションシステムは、次の方向転換とその方向転換の方向とを示すために強調表示される交差点を示す。ナビゲーションシステムによるこの様な経路案内は音声指示によっても与えられる。
【０００８】
上記のように、目的地を設定するとき、ユーザーは、ディスプレイ上でたとえば興味ある地点(POI）を選択することにより又は上記のようにキーボード・スクリーン表示を用いて特定の目的地を入力することによって特定の目的地を選択することができる。また、場合によっては、特定の地域内の特定の目的地を探すのが有益であることがある。例えば、ユーザーは、特定の地域内で交通事情が好都合であることを知っているときには、その地域内のレストランで食事をしたいと思うかもしれない。
【０００９】
在来のナビゲーションシステムでは、ユーザーが興味ある地点の探索を特定の都市内に限定することを可能にする機能が設けられている。しかし、それは、かかる探索法では、ユーザーが複数の都市にまたがる地域や任意の所望地域(例えば都市より小さいあるいは大きい地域)を探索することを望んでいる場合に対処し得ない。多くの場合に、都市の面積は、探索すべき地域を有効に限定するには大きすぎ、所望の情報を有効に検索するには小さすぎる。更に、ユーザーは、特定の地点に到達したことではなくて特定の地域に入ったか否か知ることを望むかもしれない。
【００１０】
従って、任意の領域内の興味ある地点（POI）情報又は他の情報を有効に検索するためにユーザーが１つの地域を自由に指定し、あるいは地域を修正することを可能にするナビゲーションシステムに用いるための方法及び装置が必要である。
【発明の開示】
【発明が解決しようとする課題】
【００１１】
以上より、本発明の目的は、お気に入りスポット内におけるPOI或いはその他の情報を検索できるようにするためにユーザーをして地図イメージ上で任意の地域をお気に入りスポットとして自由に特定することを可能にするナビゲーションシステムの情報検索方法及び装置を提供することである。
【００１２】
本発明の他の目的は、ユーザーがお気に入りスポットの位置、サイズ及び名前を地図イメージ上で自由に設定することを可能にすることによって該お気に入りスポットを特定する情報検索方法及び装置を提供することである。
【００１３】
本発明の他の目的は、お気に入りスポットに関連するPOIやイベント情報、交通情報を、ナビゲーションシステムをして探索可能にするためのに該ナビゲーションシステムにお気に入りスポットを指定する機能を付与する情報検索方法及び装置を提供することである。
【００１４】
本発明の他の目的は、お気に入りスポットを特定し、かつ、お気に入りスポットのサイズ、名前又はその他のパラメータを変更することによって該お気に入りスポットに関する先在するデータを修正するための情報検索方法及び装置を提供することである。
【００１５】
本発明の他の目的は、お気に入りスポットに到達したことをユーザーに知らせるナビゲーションシステムの情報検索方法及び装置を提供することである。
【課題を解決するための手段】
【００１６】
ナビゲーションシステムに用いられる本発明の方法及び装置は、ユーザーがお気に入りスポットを特定することを可能にし、かつ、そのお気に入りスポットに関連する所望のデータを検索することを可能にする。ユーザーは、地図イメージ上で１つの地域を特定し、該特定したスポット内でデータを検索するために該特定したスポットを用いることができる。そのようなデータは、お気に入りのスポット内における、移動の目的地を選択するための興味ある地点（POI）又はイベント情報及びお気に入りスポット内の交通情報などである。
【００１７】
本発明の第1は、お気に入りスポットを特定し、該お気に入りスポットに関する情報を検索する情報検索方法である。この方法は、ナビゲーションシステムで表示された地図イメージ上で１つの場所を選択することによりお気に入りスポットを生成し、該お気に入りスポットのサイズを設定するステップ、ナビゲーションシステムで生成された複数のお気に入りスポットのうちの１つを選択するステップ、その選択されたお気に入りスポットに関連する情報を検索するステップから成る。
【００１８】
好ましくは、前記お気に入りスポットを生成するステップは、お気に入りスポットの形状を設定するステップと、お気に入りスポットの名前を指定するステップとを含む。更に、お気に入りスポットを生成するステップは、お気に入りスポットをお気に入りスポットの名前リストに登録するステップを含む。ナビゲーションシステムで生成された複数のお気に入りスポットのうちの１つを選択するステップは、お気に入りスポットの名前リストを表示するステップを含む。
【００１９】
本発明の方法において、前期選択されたお気に入りスポットに関連する情報を検索するステップは、前記お気に入りスポットにおいて探索する情報のカテゴリーを指定するステップと、お気に入りスポット内において該選択したカテゴリーの情報を検索するステップと、検索された情報のリストを表示するステップとを含む。
【００２０】
好ましくは、本発明の方法は、お気に入りスポットのサイズ、位置、又は名前を変更することにより、或いはお気に入りスポットを削除することによってお気に入りスポットに関するデータを編集するステップを更に含む。更に、お気に入りスポットに関するデータを編集するステップは、編集されるべきお気に入りスポットを選択するステップと、編集されるべきお気に入りスポットの項目を選択するステップと、その選択された項目の値を変更するステップとを含む。
【００２１】
本発明の第2は、お気に入りスポットを特定して、そのお気に入りスポットに関する情報を検索する情報検索装置である。該装置は、上記の方法において定義されているステップを実行するための種々の手段からなる。本発明のお気に入りスポットを特定してデータを検索する装置は、ナビゲーションシステムで表示されている地図イメージ上の位置を選択してお気に入りスポットのサイズを設定することによってお気に入りスポットを生成する手段と、該ナビゲーションシステムで生成された複数のお気に入りスポットのうちの１つを選択する手段と、情報のタイプを選択して、その選択したお気に入りスポットに関連する情報を検索する手段とを含む。
【発明の効果】
【００２２】
本発明によれば、ユーザーは、地図イメージ上の地域をお気に入りスポットとして自由に特定してそのお気に入りスポットを使って該お気に入りスポットの中に位置する興味ある地点(POI)を探索することができる。更に、ユーザーは、お気に入りスポットでの映画、スポーツ、コンサートなどのイベント情報、或いは事故、渋滞、建設工事などの交通情報を探索することができる。また、本発明のナビゲーションシステムは、ユーザーがお気に入りスポットに入っていることをユーザーに知らせることができる。
【発明を実施するための最良の形態】
【００２３】
ナビゲーションシステムに用いられるお気に入りスポットを特定して該お気に入りスポットに関する情報を検索する情報検索措置において、ナビゲーションシステムで表示した地図イメージ上の場所を選択し、かつ、該場所のサイズを設定することによってお気に入りスポットを複数個生成する。そして、該生成されたお気に入りスポットのうちの１つを選択し、該選択したお気に入りスポットに関連する情報、例えば、興味ある地点（POI）又はイベント情報またはお気に入りスポット内の交通情報などを検索する。
【実施例】
【００２４】
お気に入りスポット或いは気に入った地域を特定し、そのお気に入りスポットに関連する所望のデータを検索する本発明の方法及び装置を添付図面を参照して詳しく説明する。本発明は、ナビゲーションシステムのユーザーが地図イメージ上で１つの地域を特定してその特定した気に入った地域又は場所を用いてその地域内のデータを検索することを可能にする。そのデータは移動の目的地を選択するための興味ある地点（POI）、或いはお気に入りスポット内でのイベント情報あるいは交通情報、その他の情報である。
本発明のナビゲーションシステムは、乗り物ナビゲーションシステムに有利に応用可能である。図２は、本発明を実施する乗り物ナビゲーションシステムの構造の例を示す。本発明を、例えばＰＤＡ（パーソナルデジタルアシスタント)装置、ラップトップコンピュータ、或いはその他のハンドヘルド装置などの携帯用ナビゲーション装置にも応用することができることに注意するべきである。
【００２５】
図２のブロック図において、ナビゲーションシステムは、地図情報を記憶するＣＤ−ＲＯＭ、ＤＶＤ、ハードディスク或いはその他の記憶手段(以降、"ＤＶＤ"）と、該ＤＶＤから地図情報を読み出す動作を制御するＤＶＤ制御ユニット３２と、現在の乗り物位置を測定するための位置測定ユニット３３とを含む。位置測定ユニット３３は、移動距離を検出するための乗り物速度センサーと、移動方向を検出するためのジャイロスコープと、位置を計算するためのマイクロプロセッサと、ＧＰＳ受信装置などを有する。
【００２６】
図２のブロック図は、更に、ＤＶＤ３１から読み出された地図情報を記憶する地図情報(データ)メモリ３４と、ＤＶＤ３１から読み出された興味ある地点（POI）情報などのデータベース情報を記憶するデータベースメモリ３５と、メニュー選択操作、拡大／縮小操作、目的地入力操作などを実行するリモートコントローラ３７と、リモートコントローラ・インターフェース３８とを含む。
【００２７】
ナビゲーションシステムは、更に、システム内の上記のいろいろなユニットを接続するバス３６と、ナビゲーションシステムの動作全体を制御するプロセッサ（ＣＰＵ）３９と、ナビゲーション制御のために必要な経路探索プログラム及びマップマッチング・プログラムなどの種々の制御プログラムを記憶するＲＯＭ４０と、案内経路などの処理結果を記憶するＲＡＭ４１と、地図情報に基づいて地図イメージ(地図案内イメージ及び矢印案内イメージ)を作るための表示コントローラ４３と、表示コントローラによって作られたイメージを記憶するＶＲＡＭ（ビデオＲＡＭ）４４と、メニューイメージ／種々のリストイメージを作るメニュー／リスト作成ユニット４５と、合成ユニット４６と、お気に入りスポットオペレーションコントローラ４７と、バッファメモリ４８と、無線受信機４９と、モニター(ディスプレイ)５０とを含む。
【００２８】
お気に入りスポットオペレーションコントローラ４７は、お気に入りスポットを指定し編集して興味ある地点（POI）情報、イベント情報或いは交通情報などの該お気に入りスポット内の情報を検索する本発明の本質的機能を実行する。お気に入りスポットオペレーションコントローラ４７は、POI（興味ある地点)情報と、ナビゲーションシステム内で作られた現在の位置データとを含む地図データを受け取る。お気に入りスポットオペレーションコントローラ４７は、イベント データ サーバ及び交通情報サーバなどのリモートデータサーバから、ナビゲーションシステムの外部で作られた情報も受け取る。
【００２９】
リモート・サーバからダウンロードされたその様なイベント情報及び交通情報をバッファメモリ４８に格納することができる。お気に入りスポットに関するデータもバッファメモリ４８に格納することができる。お気に入りスポットオペレーションコントローラ４７は、お気に入りスポットデータ、現在位置データ、イベント・データ及び交通データを評価し、ユーザーの位置が変わるたびにこれらのデータを現在の位置と関連付ける。イベント情報及び交通情報は、対応するサーバから、無線受信機４９及びアンテナを通して直接に、或いは公衆通信ネットワークを通して間接的に、供給される。上記の様に、地図情報及びPOIデータはＤＶＤ３１から抽出されて地図メモリ３４に格納される。
【００３０】
図３は、お気に入りスポットを特定あるいは修正し、お気に入りスポットに関するデータを検索するための本発明の装置の基本構造例を示す機能ブロック図である。図３の構造は本発明の動作に直接関連する図２のブロック図中のコンポーネントにより説明されている。本発明の装置のコンポーネントは、ユーザーとインターフェースするためのモニター５０と、本発明の装置の動作全体を制御するためのお気に入りスポットオペレーションコントローラ４７とを含む。
【００３１】
図３のブロック図は、更に、地図データを記憶するＤＶＤ又はハードディスクなどの地図データ記憶ユニット３１と、地図データ記憶ユニット３１からの地図データを記憶する地図メモリ３４と、外部のリモートデータサーバとの無線通信のための無線受信機４９と、ユーザーの現在の位置を検出するための位置測定ユニット３３と、該ユニットの動作のための種々のタイプのデータを一時的に記憶するバッファメモリ４８とを含む。お気に入りスポットオペレーションコントローラ４７は、図２のＣＰＵ３９により、又はマイクロプロセッサなどの別のコントローラによって実現され得る。さらに、バッファメモリ４８は図２のＲＡＭ４１により又はその他のメモリにより実現され得る。
【００３２】
図３に示されているように、ナビゲーションシステムは、POI(興味ある地点)情報などの地図データを地図メモリ３４及び地図データ記憶ユニット３１から検索することができる。ナビゲーションシステムは、無線通信ネットワークを通してリモートデータサーバからイベント情報及び交通情報を受け取ることもできる。この様な無線通信データサービスの例はＦＭラジオデータサービス及び衛星無線データサービスを含む。イベント情報及び交通情報はアンテナ及び無線受信機４９を通して受信されて、ナビゲーションシステムのバッファメモリ４８又はその他のデータ記憶装置にダウンロードされる。
【００３３】
モニター５０で表示された地図イメージ上で、ユーザーはお気に入りスポット５２を生成して、そのお気に入りスポットに関するデータを編集する。お気に入りスポットオペレーションコントローラ４７は、ユーザーがお気に入りスポットを特定して編集するのを助けるためにモニター５０上のスクリーン表示を制御する。お気に入りスポットに関するこの様なデータは、バッファメモリ４８に、或いは地図データ記憶ユニットがハードディスクにより形成されるときには地図データ記憶ユニット３１に、或いはその他の書き換え可能な記憶装置に格納されて良い。お気に入りスポットオペレーションコントローラ４７は、お気に入りスポット情報をPOI情報、現在の位置、目的地への経路、イベント情報、あるいは交通情報の取得に対して使用する。
【００３４】
図４〜図６は、地図イメージ上でお気に入りスポットを特定するステップを示す本発明のナビゲーションシステムのスクリーン表示の例である。この手続きを通して、ユーザーは地図イメージ上の任意の地域をお気に入りスポットとして特定することができる。ナビゲーションシステムは、地図イメージ上のお気に入りスポットのサイズ及び位置の修正機能もユーザーに提供する。ユーザーは、POI（興味ある地点)などの情報、或いは渋滞、事故、建設工事などを含む交通情報、或いは映画、コンサート、スポーツなどのイベント情報を引き出すことができる。
【００３５】
図４Ａは、地図イメージ上でユーザーの乗り物の位置を示す表示の例である。この例では、ユーザーの位置は、通常は現在の乗り物の位置であって、現在の乗り物位置のマーク５１によって表される。地図のスケールを示すために地図イメージ上でスケール・インジケータ５９がスクリーンの右下隅に示されている。ユーザーは、例えば、スクリーン上のカーソル(ポイント・マーカー：図示せず)を操作することにより、或いはタッチスクリーンの表面上の地図イメージ上の一点を直接押すことによって、ディスプレイ上の特定の一点を選択することができる。
【００３６】
図４Ｂはユーザーがスクリーン上でカーソル５３を動かすことによって特定の一点を選択した場合の本発明のナビゲーションシステムの表示例を示す。当該技術分野で周知のように、ユーザーは、リモートコントローラ(図２)又はその他の手段を用いてカーソルポイント５３をスクリーン上で自由に動かすことができる。図４Ｂの例では、地図イメージ上のストリートイメージ或いはPOIアイコンなどの、地図上の一定の意味のあるイメージをカーソル５３が指すと、バルーン・メッセージ(図示せず)が出現するように設計されている。
【００３７】
図５Ａでは、選択された地点のストリートのアドレスを示すバルーン・メッセージ５５が表示される。このバルーン・メッセージは、該当する場合には(カーソル・ポイントが興味ある地点上にあるときなど)場所の名前を、或いはカーソル・ポイントの緯度及び経度を更に含むことができる。好ましくは、ナビゲーションシステムの表示スクリーンは、いろいろな動作のうちの１つを選択するようにユーザーを促す数個のメニュー・キーを更に示す。
【００３８】
図５Ａのメニュー・キーの例は、(1)カーソル・ポイントを移動の目的地として選択するための"Set as Destination （目的地として設定する)"キー５６ａと、(2)カーソル５３の領域内にPOIアイコンを表示するための“View POI Icon List （POIアイコン・リストを見る)"キー５６ｂと、(3)カーソル５３が指す所定サイズの領域内でPOIを探すための"Find Local POI（局所POIを見つける)"キー５６ｃと、(4)カーソル・ポイントの位置を移動の中間地点として選択するための"Set as Waypoint (中間地点として設定する)"キー５６ｄとを含む。
図５Ａの例は、更に、その位置をメモリに記録するための(4)"Save Positio（位置を保存する)"キー５６ｅと、(5)本発明に従ってお気に入りスポットを作るための"Add to Favorite（気に入りに加える)"キー５６ｆと、(6)目的地への経路からカーソル・ポイント５３の位置を除去するための"Avoid Area（地域を避ける)"キー５６ｇ及び(7)"Avoid Road（道路を避ける)"キー５６ｈとを含む。
【００３９】
上記のように、"Add to Favorite（気に入りに加える)"キー５６ｆは、本発明のお気に入りスポット機能を続行する次の操作に直接関連する。このキーを押すと、ナビゲーションシステムは、ユーザーがお気に入りスポットの地域サイズを決定するように図５Ｂのスクリーンを表示する。この例では、お気に入りスポットはスクリーン上の正方形の地域マーク６０で特定されるけれども、円、楕円又は多角形などの他の形状も可能である。図５Ｂのスクリーンは、正方形地域のサイズを示すためのスポット・スケール・インジケータ６１も示しており、それはこの例では１／２マイル×１／２マイルである。
【００４０】
キー６２及び６３を選択することにより、お気に入りスポットマーク６０のサイズを自由に変更することができる。図６Ａは、類似する表示を示しており、この場合にはユーザーは図５Ｂのそれより大きなお気に入りスポットの地域サイズを選択することができる。スクリーン上のスポット・スケール・インジケータ６１は、正方形の地域マーク６０のサイズが１マイル×１マイルであることを示す。上記のように、お気に入りスポットは図５Ｂ及び図６Ａの表示では正方形地域マークにより特定されているけれども、他の形状も可能である。例えば、図６Ｂは、ユーザーにより異なる形状の領域マーク１６０で特定されたお気に入りスポットの領域を表す円を示している。図６Ｂでは、スポット・スケール・インジケータ６１は、好ましくは、円形領域マーク１６０の直径又は半径を示す。
【００４１】
図7〜図８はお気に入りスポットに名前を割り当てるための手続きに関わる本発明のナビゲーションシステムのスクリーンでの表示の例である。図４〜図６に示されている手続きでお気に入りスポットの位置及びサイズをユーザーが選択すると、ナビゲーションシステムは、お気に入りスポットの特定の名前を入力するようにユーザーを促す。ユーザーは図7〜図８のステップでお気に入りスポットの名前を割り当てる。
【００４２】
図７Ａは、お気に入りスポットのリストを示す表示の例である。図４〜図６で特定されたお気に入りスポットは、"Favorite 4（お気に入り４）"として参照数字９１により示されている図７Ａの項目の４番目の行に記録されている。各々の名前は、小さなボックスの中の１／２マイル、２マイル、或いは１マイルなどの場所のサイズも含む。この例では、その場所が位置する都市の名前がデフォルト名として表示される。" Favorite 4（お気に入り４)"には名前が割り当てられていないので、都市名"REDONDO BEACH（レドンドビーチ）"がデフォルト名として示されている。ユーザーは、このデフォルト名を受け入れるか或いは変更するか選択することができる。ユーザーは、スクロール・キー９３を押すことによって該リスト中の他の項目を見ることができる。
【００４３】
図７Ｂでは、ユーザーは、新たに作られたお気に入りスポット項目９１を強調表示することにより図示されているように名づけるべきお気に入りスポットについての項目を選択している。そのとき、ナビゲーションシステムは、ユーザーがお気に入りスポットの名前を入力できるように図８Aに示すようにキーボード・スクリーンを表示する。ユーザーは図８Aのキーボード上で数字キー及びアルファベット・キーを選択することによって所望の名前を入力することができ、それはスクリーン上のテキスト・ウィンドウ７１で表示される。
【００４４】
ディスプレイで入力された文字が図８Ｂに示されている。この例では、ユーザーはお気に入りスポットの名前を登録するためにテキスト・ウィンドウ７１に示されているように"BEACH（ビーチ）"という語を入力している。ユーザーが"Save（保存する)"ボタンを押すと、お気に入りスポットは割り当てられた名前で登録される。この特定の例ではタッチスクリーン入力方法が使用されているけれども、音声認識システム或いはリモートコントローラなどの他の入力手段を用いても良い。
【００４５】
同じ名前が存在する場合には、ナビゲーションシステムは図８Ｃに示されているように同じ名前がシステム内に既に存在することをユーザーに警告する。この様に、ナビゲーションシステムは、違う名前を入力するか或いは先在するお気に入りスポットの名前を改めるようにユーザーを促す。通常、ユーザーは、ナビゲーションシステムに登録されている名前とは違う名前を入力し、その新しい名前を登録するために"Save（保存する)"キーを押す。
【００４６】
次に、上記の手続きで特定されたお気に入りスポットに関連する情報を引き出す手続きを本発明の実施態様に関して説明する。図9〜図１０は、本発明のナビゲーションシステムに設けられているお気に入りスポット機能を使用するための手続きを示す表示例である。図９Aはメインメニュー・スクリーンを示し、これからユーザーは特定の項目を選択することができ、図９Bは、図９Aで参照番号７７により示されている"Favorite（お気に入り)"ボタンが選択されたときのお気に入りスポットの名前のリストを示す。図１０Aは、図９Bでお気に入りスポットの名前が選択されずに"Type（タイプ)"が選択されたときのお気に入りスポットのタイプのリストを示し、図１０Bは、図１０Aでお気に入りのタイプが選択されたときの場所の名前のリストを示す。
【００４７】
図９Aに示されているメインメニューでは、ユーザーはナビゲーションシステムのメインメニューの数個のアイテムの中から所望のメニュー・ボタンを選択することができる。この例では、ユーザーはお気に入りスポット機能を使用するために" Favorite（お気に入り)"ボタン７７を選択している。これに応じて、ナビゲーションシステムは図９Bに示されているように登録されているお気に入りスポットのリストを表示するので、ユーザーはお気に入りスポットの名前のうちの１つを選択することができる。図９Bでは、ユーザーは、名前のリストからお気に入りスポットの名前を選択するのではなくて、スクリーン上の気に入った"Type（タイプ)"ボタンを選択することができる。
【００４８】
これに応じて、ナビゲーションシステムは図１０Aに示されているお気に入りのタイプのリストを表示する。このお気に入りのタイプのリストは興味ある地点（POI）のリストに似ている。換言すれば、ナビゲーションシステムは、ユーザーによりナビゲーションシステムに登録されたお気に入りのPOIタイプのリストを作ることができる。ユーザーが"Italian Restraurant（イタリアン・レストラン）"などのお気に入りのタイプを選択すると、ナビゲーションシステムは、図１０Bで現在の位置から所定距離内又は所定数以内のイタリアン・レストランのリストを表示するので、ユーザーは場所の名前のうちの１つを選択することができる。
【００４９】
図１１〜図１２は、選択されたお気に入りスポットの地図イメージと情報タイプすなわちいろいろな動作のリストを示す本発明の表示例である。図１１Ａは、ナビゲーションシステムに登録されているお気に入りスポットのリストを示す。図１１Ｂは、選択されたお気に入りスポットの地図イメージといろいろな情報タイプ又は動作リストを示し、ここでは"Find POI（POIを見つける)"が選択される。図１２Ａは、情報タイプのリストから"Download Event Information（イベント情報をダウンロードする)"が選択されている。図１２Ｂは、情報タイプ(動作)のリストから"View Traffic Information（交通情報を見る)"が選択された場合を示す。
【００５０】
図１１Ａに示されているように、ナビゲーションシステムは、図９Bに示されているものと基本的に同じお気に入りスポットの名前リストを表示する。換言すれば、図１１Ａにおいてお気に入り"Type（タイプ)"ではなくてスクリーンの底部のお気に入り"Spot（場所)"を選択すると、ナビゲーションシステムはこの機能を使って更に手続きをするためにユーザーが１つ以上のお気に入りスポットを選択する機会をユーザーに提供する。この例では、ユーザーは、お気に入りスポットの名前"Beach（ビーチ)"を選択して、このお気に入りスポットに関連する情報を抽出する。
【００５１】
これに応じて、図１１Ｂに示されているように、ナビゲーションシステムは、選択されたお気に入りスポット"BEACH（ビーチ)"の地図イメージ５７と、この選択されたお気に入りスポットに関する情報を集めるための動作リストとを表示する。この例では、(1)動作リストは、お気に入りスポットの中の興味ある地点を探すための"Find POI（POIを見つける)"と、(2)お気に入りスポット内での映画、スポーツ、コンサートなどのイベント情報をリモート・サービスプロバイダから検索するための"Download Event Information（イベント情報をダウンロードする）"と、(3)お気に入りスポット内での事故、渋滞、建設工事などの交通情報を交通データ・サーバから検索するための“View Traffic Information（交通情報を見る）"とを含む。
【００５２】
図１１Ｂでは、お気に入りスポット内の場所タイプと場所名などのPOI情報を検索するために"Find POI（POIを見つける)"キーが起動され、このことについては図１３〜図１４を参照して詳しく説明する。図１２Ａでは、ナビゲーションシステムの無線受信機を通してイベント情報を検索するために" Download Event Information（イベント情報をダウンロードする）"キーが起動され、このことについては図１５〜図１６を参照して後に詳しく説明する。図１２Ｂでは、ナビゲーションシステムの無線受信機を通して交通情報データを検索するために" View Traffic Information（交通情報を見る)"キーが起動され、このことについては後に図１７を参照して詳しく説明する。
【００５３】
図１３〜図１４は、特定のお気に入りスポット内で興味ある地点を見つけるための表示例を示す。図１３〜図１４のプロセスは、ユーザーがお気に入りスポット"Beach（ビーチ)"を指定した後に図１１Ｂで動作"Find POI（POIを見つける)"を選択したときに始まる。図１３Aでは、ナビゲーションシステムは、お気に入りスポット" Beach（ビーチ)"内の興味ある地点（POI）のカテゴリー(場所タイプ)のリストを表示する。このときユーザーは、例えば、お気に入りスポット内に位置する空港を探すために場所タイプ"AIRPORTS（空港)"を選択することができる。右側のスクロール・キー９３は、ユーザーが該リストをスクロールして他のカテゴリーを見ることを可能にする。
【００５４】
図１３Bの例では、指定された場所の範囲内に存在しない"FAST FOOD（RESTRAUNT )(ファーストフード(レストラン))"についてのカテゴリーがユーザーにより選択されたということが仮定されている。本発明のナビゲーションシステムは、お気に入りスポット"Beach（ビーチ)"内の"RESTRAUNT（レストラン）"というカテゴリーに属する興味ある地点を探す。この探索が行われている間、ナビゲーションシステムは、ナビゲーションシステムが図１３Bに示されているように興味ある地点を探していることを示すスクリーンを表示する。
【００５５】
図１４Aは、"FAST FOOD（RESTRAUNT )(ファーストフード(レストラン))"カテゴリーについてお気に入りスポット"BEACH（ビーチ)"内に興味ある地点が見つからないときの表示の例を示す。この例では、ナビゲーションシステムは、ユーザーにより指定されたPOIタイプが選択されたお気に入りスポット内に見つからないというメッセージをスクリーン上に表示する。一方、選択されたお気に入りスポットについて、指定された場所タイプに整合する１つ以上の興味ある地点が見つかったならば、ナビゲーションシステムは図１４Bに示されているようにお気に入りスポット内のPOI場所名のリストを表示する。
【００５６】
図１５〜図１６は、ユーザーがお気に入りスポット"BEACH（ビーチ)"を指定した後に図１２Ａのプロセスで動作" Download Event Information（イベント情報をダウンロードする)"を選択した場合の本発明の表示例である。イベント情報とは、特定のお気に入りスポット内で行われる映画、コンサート、スポーツ、パレードなどのイベントに関する情報を指す。イベント情報は日、時刻などによって変化するので、データ・サーバから情報を絶えず引き出すことのできるナビゲーションシステムは、無線受信機４９(図２及び３)を通して該情報をダウンロードするために有利に使用される。
【００５７】
図１２Ａに示されているように" Download Event Information（イベント情報をダウンロードする)"キー５３が押されると、ナビゲーションシステムは、図１５Ａに示されているように該システムがリモート・イベント・データ・サーバからイベント情報をダウンロードしていることをユーザーに知らせる。通常、この様な、イベント・データ・サーバからのデータのダウンロードは、例えばＦＭ無線ネットワーク又は衛星無線通信システムを用いる無線通信を通して行われる。イベント情報をダウンロードした後、ナビゲーションシステムは関連するイベント情報を表示する。指定されたお気に入りスポット内でイベントが無い場合には、ナビゲーションシステムは、その特定のお気に入りスポットに関して利用しえるイベント情報がないことをユーザーに知らせるために図１５Ｂに示されているようなメッセージを発表する。
【００５８】
ナビゲーションシステムが特定のお気に入りスポットについてイベント情報を引き出すことができるときには、ナビゲーションシステムは図１６Aに示されているようにイベント情報のリストを表示する。この例では、ナビゲーションシステムはお気に入りスポット内でのいろいろなイベント・タイプのリストを表示するので、ユーザーはイベントのタイプを選択してその選択したイベントの詳しい情報を見ることができる。イベント・データ・サーバとの無線通信を通して該イベントの席を予約してチケットを購入することもできる。
【００５９】
図１６Aの状態においてユーザーがコンサートなどの特定のイベントに行くことを、このイベントを強調表示してエンター・キーを押すことによって決定したならば、ナビゲーションシステムは図１６Ｂに示されているように目的地を確認するスクリーンに移行する。ユーザーが"OK to Proceed（進んでよい)"キーを押すと、ナビゲーションシステムは目的地への経路を計算してユーザーをその目的地へ案内する。
【００６０】
図１７は、指定されたお気に入りスポットに関する交通情報を引き出す動作に関わっている本発明のナビゲーションシステムにおける表示例である。図１７のプロセスは、ユーザーがお気に入りスポット"Beach（ビーチ)"を指定した後に図１２Ｂのプロセスで動作"View Traffic Information(交通情報を見る)"を選択したときに始まる。ここで、交通情報は、事故、建設工事、渋滞、エンストした乗り物などがあるかないかということに関する情報を指す。通常、その様な交通情報は、例えばＦＭ無線ネットワーク又は衛星無線通信システムを用いて無線通信を通して交通情報サーバから入手することができる。
【００６１】
図１７Ａの例では、ナビゲーションシステムは地図イメージ上の交通事情アイコン８１及び８２によって交通情報を表示する。交通事情アイコン８１は、指定されたお気に入りスポットの地域マーク６０内の道路での建設工事を示す。交通事情アイコン８２は、指定されたお気に入りスポット内の道路上のエンストした乗り物を示す。交通情報を表示する他の方法はいろいろあり得る。図１７Ｂの例では、ナビゲーションシステムのディスプレイは、例えば建設工事による時速１５マイル或いはエンストした乗り物による時速２５マイルなど、交通事情に関連する交通速度に関する情報も含む。ユーザーは、交通情報に基づいてお気に入りスポットを訪れるか否か決め、或いは目的地への経路を計算するときに交通上の出来事のある位置を避けるようにナビゲーションシステムに指令することができる。
【００６２】
お気に入りスポットを編集するプロセスについて図１８〜図２３を参照して詳しく説明する。図１８は、本発明のナビゲーションシステムにおいて編集すべきお気に入りスポットを選択する基本的プロセスを示す。ユーザーは、図９Aに示されているものと同じである図１８Ａのメインメニュー・スクリーン上の"Edit（編集する)"メニューを選択することによって編集プロセスを開始する。
【００６３】
すると、ナビゲーションシステムは、図１８Ｂに示すように編集プロセスのためのいろいろな項目のうちの１つを選択するようにユーザーを促すためにナビゲーションシステムで使われる項目のリストを表示する。ユーザーが、"Favorite Types（気に入ったタイプ)"９７を選択すれば、興味ある地点の気に入ったタイプを指定することができるので、ナビゲーションシステムは、図９Bで"Type（タイプ)"キーが押されたときに図１０Ａに示されているようなリストを表示すると同様に、タイプのリストを表示する。また、ユーザーが数字９５により示されている"Favorite Spots（お気に入りスポット)"を選択すると、ナビゲーションシステムは図１８Ｃに示すようにシステムに登録されているお気に入りスポットのリストを表示する。ユーザーは、編集されることになるお気に入りスポットを、そのお気に入りスポットを押すことによって選択することができる。この例では、"BEACH（ビーチ)"と称されるお気に入りスポットが編集のために選択される。
【００６４】
すると、ナビゲーションシステムは、選択されたお気に入りスポットの地図イメージと、そのお気に入りスポットについての編集操作のカテゴリーとを、図１９Ａに示されているように表示する。この例では、ナビゲーションシステムは３つの異なるカテゴリーの編集操作、すなわち名前の付け替え、場所サイズ、及び削除を提供する。名前の付け替え操作はお気に入りスポットの名前を変更し、場所サイズ操作はお気に入りスポットのサイズを変更し、削除操作は登録されているお気に入りスポットをシステムから除去する。図示されてはいないけれども、地域マーク６０の中心位置を変更することによってお気に入りスポットの位置を変えることもできる。
【００６５】
図１９Ａの例では、参照番号１０３により示されているお気に入りスポットのサイズを示すカテゴリーが強調表示されている。この例では、ユーザーは、サイズ・インジケータ１０３と矢印キー１６２及び１６３とを押すことによって、選択されているお気に入りスポット"BEACH（ビーチ)"のサイズを変更することができる。お気に入りスポットが正方形であるときには該サイズを１辺の長さが１／２マイル、１マイル、２マイルなどのサイズの所定の集合に変更することができる。図１９Ａでは、矢印キー１６３は、お気に入りスポット"BEACH（ビーチ)"の地域サイズを大きくするために押される。図１９Ｂでは、矢印キー１６２はお気に入りスポットの地域サイズを小さくするために使われる。
【００６６】
図２０は、本発明において選択されたお気に入りスポットを削除する手続きにおける表示の例を示す。この場合、ユーザーは参照番号１０５により示されている削除キーを押すことによって、図１８Ｃのステップで選択されたお気に入りスポット"BEACH（ビーチ)"を削除する。ナビゲーションシステムは、お気に入りスポットを削除する選択肢を確認するようにユーザーを促し、これに対してユーザーは図２０Ｂに示されているように"Yes"又は"No"ボタンを押すことによって応答することができる。"Yes"ボタンが押されれば、そのお気に入りスポットの項目"BEACH（ビーチ)"が削除され、"No"ボタンが押されれば、そのお気に入りスポットを削除する手続きはキャンセルされることになる。
【００６７】
図２１は、本発明において選択されたお気に入りスポットの名前を付け替える手続きにおける表示例である。図２１Ａに示されているように、ユーザーは、参照番号１０１により示されている名前付け替え（Rename）ボタンを押すことによってお気に入りスポットの名前を付け替えることを選択する。ナビゲーションシステムは図２１Ｂに示されているようにキーボード・スクリーンを表示するので、ユーザーは新しい名前を入力することができる。図２１Ｂにおいて、元の名前が示され、これからユーザーは新しい名前に改めることができる。元の名前が自動的に消去されていてユーザーが名前を新たに入力することができる入力スクリーンを表示することも可能である。
【００６８】
図２２Aは、ユーザーが新しい名前として"REDONDO BEACH PIER（レドンドビーチピア)"を入力した場合の入力スクリーンを示す。ユーザーが保存（save)ボタンを押すと、この新しい名前がナビゲーションシステムに保存され、これにより、前に付けられていた"BEACH（ビーチ)"に取って代わる。もし同じ名前がお気に入りスポットの名前として既に存在するならば、ナビゲーションシステムは図２２Ｂに示されているように違う名前を入力するようにユーザーを促す。ユーザーが先在する名前の上に新しい名前を重ねがきできるようにすることも可能である。
【００６９】
本発明のお気に入りスポット機能を使って、ユーザーがお気に入りスポットに入ったことをユーザーに知らせることもできる。すなわち、お気に入りスポットに到達したか監視する手段、該お気に入りスポットに到達したことを報知する手段を設けてユーザーがお気に入りスポットに入ったことをユーザーに知らせる。例えば、図２３に示されているように、多くのワイナリー(ぶどう酒醸造所)が位置するお気に入りスポットをユーザーが設定していれば、ユーザーがそのお気に入りスポットに入るか又はそのお気に入りスポットから出たら直ぐにナビゲーションシステムはユーザーに知らせる。ユーザーは見回して眺めを楽しみ、そのお気に入りスポットの中のワイナリーなどの興味ある地点を間違いなく見つけることができる。
【００７０】
上記したように、本発明によれば、ユーザーが地図イメージ上の任意のサイズ及び位置をお気に入りスポットとして設定することを可能にするので、本発明のナビゲーションシステムはユーザーの好みに基づいて柔軟に案内をすることができ、また、ユーザーは、特定のお気に入りスポット内の興味ある地点、イベント情報、及び交通情報を探すことができる。更に、お気に入りスポット機能を使って、ユーザーがお気に入りスポットに入ったことをユーザーに知らせることもできる。
【００７１】
以上本発明は好ましい実施態様を参照して説明されているけれども、本発明の範囲から逸脱せずに種々の変形や別形を作ることができることを当業者は直ぐに理解するであろう。その様な変形及び別形は、添付されている請求項及びそれらの同等物の範囲内にあると考えられる。
【図面の簡単な説明】
【００７２】
【図１】１つ以上の目的地を指定し、目的地への経路を決定し、ユーザーを目的地に案内するためのナビゲーションシステムのプロセス及びスクリーン表示の例を示す略図である。
【図２】お気に入りスポットを特定し、そのお気に入りスポットに関連する興味ある地点又はその他の情報を検索するために本発明を実施する乗り物ナビゲーションシステムの構造の例を示すブロック図である。
【図３】お気に入りスポットを特定し、そのお気に入りスポットを修正し、そのお気に入りスポットに関するデータを検索するための本発明の装置の基本構造を示す機能ブロック図である。
【図４】本発明のナビゲーションシステムにおいて地図イメージ上で所望の位置のお気に入りスポットとサイズとを特定する手続きを示す第1の表示説明図である。
【図５】本発明のナビゲーションシステムにおいて地図イメージ上で所望の位置のお気に入りスポットとサイズとを特定する手続きを示す第２の表示説明図である。
【図６】本発明のナビゲーションシステムにおいて地図イメージ上で所望の位置のお気に入りスポットとサイズとを特定する手続きを示す第３の表示説明図である。
【図７】本発明においてお気に入りスポットの名前を設定する手続きを示す第1の表示説明図である。
【図８】本発明においてお気に入りスポットの名前を設定する手続きを示す第２の表示説明図である。
【図９】ナビゲーションシステムのお気に入りスポット機能を用いる手続きを示す第1の表示例である。
【図１０】ナビゲーションシステムのお気に入りスポット機能を用いる手続きを示す第２の表示例である。
【図１１】地図イメージと、関連するお気に入りスポットと選択肢のリストとを示す本発明の第1の表示例である。
【図１２】地図イメージと、関連するお気に入りスポットと選択肢のリストとを示す本発明の第２の表示例である。
【図１３】お気に入りスポットの中の興味ある地点（POI）を見つける手続きを示す第1の表示例である。
【図１４】お気に入りスポットの中の興味ある地点（POI）を見つける手続きを示す第２の表示例である。
【図１５】お気に入りスポットについてのイベント情報を検索し表示する手続きを示す本発明の第1の表示例である。
【図１６】お気に入りスポットについてのイベント情報を検索し表示する手続きを示す本発明の第２の表示例である。
【図１７】本発明のお気に入りスポットを特定しデータを検索する方法及び装置におけるお気に入りスポットに関連する交通情報を示す表示例である。
【図１８】特定のお気に入りスポットを編集するべく選択する手続きを示す表示例である。
【図１９】編集され得るお気に入りスポットの項目と選択されたお気に入りスポットの地図イメージとを列挙する本発明の表示例である。
【図２０】お気に入りスポットを削除する手続きを示す本発明の表示例である。
【図２１】現存するお気に入りスポットの名前を変更する手続きを示す本発明の第1の表示例である。
【図２２】現存するお気に入りスポットの名前を変更する手続きを示す本発明の第２の表示例である。
【図２３】本発明のお気に入りスポットに到達したことを表示する表示例である。
【符号の説明】
【００７３】
３１  地図データ記憶ユニット
３３  位置測定ユニット
３４  地図メモリ
３９  ＣＰＵ
４７  お気に入りスポットオペレーションコントローラ
４８  バッファメモリ
４９  無線受信機
【図１】
2005331511.tif 000003
【図２】
2005331511.tif 000004
【図３】
2005331511.tif 000005
【図４】
2005331511.tif 000006
【図５】
2005331511.tif 000007
【図６】
2005331511.tif 000008
【図７】
2005331511.tif 000009
【図８】
2005331511.tif 000010
【図９】
2005331511.tif 000011
【図１０】
2005331511.tif 000012
【図１１】
2005331511.tif 000013
【図１２】
2005331511.tif 000014
【図１３】
2005331511.tif 000015
【図１４】
2005331511.tif 000016
【図１５】
2005331511.tif 000017
【図１６】
2005331511.tif 000018
【図１７】
2005331511.tif 000019
【図１８】
2005331511.tif 000020
【図１９】
2005331511.tif 000021
【図２０】
2005331511.tif 000022
【図２１】
2005331511.tif 000023
【図２２】
2005331511.tif 000024
【図２３】
2005331511.tif 000025